(57)【特許請求の範囲】
【請求項１】
吸気口と排気口を有する本体ケースと、この本体ケース内に設けられた加湿手段と、前記吸気口から前記加湿手段を介し、前記排気口へ空気を送風する送風手段と、前記本体ケースに着脱自在な給水手段とを備え、この給水手段は、前記加湿手段に水を供給する縦長中空形状の水タンク部と、前記本体ケースの一部となる外面部とから構成し、この外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きく、前記外面部は、水平断面形状が略Ｌ字形状で、側面部と背面部とからなり、前記側面部には、前記本体ケースにおける内方へ前記背面部と平行に伸びた平板形状の第１の枠部を設け、前記ねじ固定部は、前記背面部と前記第１の枠部とに備え、前記ねじ固定部は、前記背面部の内方面、または前記第１の枠部の内方面から垂直方向へ伸びたコの字形状の連結部を備え、前記連結部の先端に前記ねじ穴部を備え、前記ねじ穴部の前記ねじ穴の軸方向と、前記第１の枠部の面および前記背面部の面とは平行に位置することを特徴とする加湿装置。
【請求項２】
前記側面部には、前記本体ケースにおける内方へ伸びると共に、前記第１の枠部と前記背面部と連結する第２の枠部を備えた構成とした請求項１に記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段と、前記吸気口から前記加湿手段を介し、前記排気口へ空気を送風する送風手段と、前記本体ケースに着脱自在な給水手段とを備え、この給水手段は、前記加湿手段に水を供給する中空形状の水タンク部と、前記本体ケースの一部となる外面部とから構成し、この外面部には、ねじが固定可能なねじ固定部を備え、前記水タンク部には、平板形状の複数のフランジ部を備え、このフランジ部には、孔部を設け、この孔部にねじを通し、前記ねじ固定部とねじとの間に前記フランジ部を固定する構成となっていた。
【０００４】
（例えば、これに類似する先行文献は下記特許文献１に記載されている。）
【先行技術文献】
【特許文献】
【０００５】
【特許文献１】特開２００９−１７４７９０号公報
【発明の概要】
【発明が解決しようとする課題】
【０００６】
上記従来例における課題は、デザイン性を更に向上することであった。
【０００７】
従来の物は、給水手段である加湿手段に水を供給する中空形状の水タンク部と、本体ケースの一部となる外面部とから構成し、この外面部と水タンク部とをねじで固定するものであった。
【０００８】
すなわち、水タンク部にそり等の変形が発生すると、この変形した水タンク部と外面部とをねじで固定することになる。ここで、水タンク部は中空形状であり、外面部より剛性が強いので、外面部も変形し、外面部と本体ケースとの合わせ目がずれる場合があった。
【０００９】
そこで本発明は、デザイン性の更なる向上を目的とするものである。
【課題を解決するための手段】
【００１０】
そしてこの目的を達成するために本発明は、吸気口と排気口を有する本体ケースと、この本体ケース内に設けられた加湿手段と、前記吸気口から前記加湿手段を介し、前記排気口へ空気を送風する送風手段と、前記本体ケースに着脱自在な給水手段とを備え、この給水手段は、前記加湿手段に水を供給する縦長中空形状の水タンク部と、前記本体ケースの一部となる外面部とから構成し、この外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きく、前記外面部は、水平断面形状が略Ｌ字形状で、側面部と背面部とからなり、前記側面部には、前記本体ケースにおける内方へ前記背面部と平行に伸びた平板形状の第１の枠部を設け、前記ねじ固定部は、前記背面部と前記第１の枠部とに備え、前記ねじ固定部は、前記背面部の内方面、または前記第１の枠部の内方面から垂直方向へ伸びたコの字形状の連結部を備え、前記連結部の先端に前記ねじ穴部を備え、前記ねじ穴部の前記ねじ穴の軸方向と、前記第１の枠部の面および前記背面部の面とは平行に位置することを特徴としたものであり、これにより、初期の目的を達成するものである。
【発明の効果】
【００１１】
以上のように本発明は、吸気口と排気口を有する本体ケースと、この本体ケース内に設けられた加湿手段と、前記吸気口から前記加湿手段を介し、前記排気口へ空気を送風する送風手段と、前記本体ケースに着脱自在な給水手段とを備え、この給水手段は、前記加湿手段に水を供給する縦長中空形状の水タンク部と、前記本体ケースの一部となる外面部とから構成し、この外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きく、前記外面部は、水平断面形状が略Ｌ字形状で、側面部と背面部とからなり、前記側面部には、前記本体ケースにおける内方へ前記背面部と平行に伸びた平板形状の第１の枠部を設け、前記ねじ固定部は、前記背面部と前記第１の枠部とに備え、前記ねじ固定部は、前記背面部の内方面、または前記第１の枠部の内方面から垂直方向へ伸びたコの字形状の連結部を備え、前記連結部の先端に前記ねじ穴部を備え、前記ねじ穴部の前記ねじ穴の軸方向と、前記第１の枠部の面および前記背面部の面とは平行に位置することを特徴としたものであり、デザイン性の更なる向上ができるものである。
【００１２】
すなわち、外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きい構成となっている。
【００１３】
つまり、外面部のねじ固定部と、水タンク部のフランジ部との間に、隙間を備え、側面部と第１の枠部、および側面部と背面部は、水平断面形状がＬ字形状となり、ねじ固定部のねじ穴部のねじ穴の軸方向は、第１の枠部および背面部の面とは、平行に位置する為、水タンク部にそり等の変形が発生した場合にも、外面部の変形を抑制でき、これらの結果により、デザイン性の更なる向上ができるものである。
【図面の簡単な説明】
【００１４】
【図１】本発明の実施の形態１の加湿装置の概略図
【図２】同加湿装置の概略断面を示す図
【図３】同加湿装置の加湿手段の概略図
【図４】同加湿装置の給水手段の概略図
【図５】同加湿装置のねじ固定部の概略図
【発明を実施するための形態】
【００１５】
以下、本実施形態を添付図面を用いて説明する。
【００１６】
（実施の形態１）
図１から図５に示すように、吸気口２と排気口３を有する本体ケース１と、この本体ケース１内に、加湿手段４と、送風手段５と、給水手段６とを備えている。
【００１７】
加湿手段４は、天面が開口した略横長箱形状で水を貯水する水槽７と、この水槽７の水に一部が浸漬した円板状の加湿フィルター部８と、この加湿フィルター部８を固定する略円環形状の加湿フィルター枠部９と、この加湿フィルター枠部９を回転させる回転手段２４とから形成されている。加湿手段４は、本体ケース１に一方側側面から水平方向へ、着脱自在な構成となっている。
【００１８】
送風手段５は、加湿手段４と排気口３との間の風路に設けている。この送風手段５によって本体の吸気口２から吸い込まれた空気は、加湿フィルター部８を介して、排気口３から加湿された空気が室内へ排気される。
【００１９】
本実施形態において特徴は、給水手段６の構造である。
【００２０】
給水手段６は、本体ケース１に着脱自在で、加湿手段４の水槽７に水を供給する中空形状の水タンク部１０と、本体ケース１の一部となる外面部１１とから構成している。
【００２１】
外面部１１は、ねじ１２が固定可能な複数のねじ固定部１３を備えている。このねじ固定部１３は、円柱形状のねじ穴を有するねじ穴部１４と、このねじ穴部１４の開口周縁に設けた円筒形状の筒部１５とから形成している。なお、筒部１５の内径とねじ穴部１４のねじ穴の内径は同じであり、筒部１５の外径は、ねじ穴部１４の外径より小さいものである。
【００２２】
水タンク部１０は、略横長箱形状の水槽７の一方側短手辺部側に位置し、略縦長箱形状で下面に弁部（図示せず）を備えており、この弁部から水タンク部１０内の水を水槽７に供給するものである。水タンク部１０の外周には、平板形状の複数のフランジ部１６を備え、このフランジ部１６には、ねじ固定部１３の筒部１５が貫通する孔部１７を設けている。
【００２３】
以上の構成において、水タンク部１０のフランジ部１６の孔部１７に、外面部１１のねじ固定部１３の筒部１５を通し、ねじ固定部１３のねじ穴部１４にねじ１２を固定し、水タンク部１０に外面部１１を装着するものである。ここで、ねじ１２のねじ頭１８は、水タンク部１０の孔部１７より大きく、水タンク部１０のフランジ部１６は、外面部１１とねじ１２のねじ頭１８との間に位置すると共に、ねじ固定部１３のねじ穴部１４とねじ１２のねじ頭１８との間の寸法は、フランジ部１６の厚み寸法より大きいものである。
【００２４】
つまり、外面部１１のねじ固定部１３と、水タンク部１０のフランジ部１６との間に、隙間を備えている為、水タンク部１０にそり等の変形が発生した場合にも、外面部１１の変形を抑制でき、これらの結果により、デザイン性の更なる向上ができるものである。なお、水タンク部１０と外面部１１の材質は樹脂であり、水タンク部１０はブロー成型で作られ、外面部１１は射出成型で作られている。すなわち、水タンク部１０の寸法精度は、外面部１１の寸法精度より精度が低く、そり等の変形が起りやすいものである。
【００２５】
また、外面部１１は、水平断面形状が略Ｌ字形状で、側面部１９と背面部２０とから形成している。
【００２６】
本体ケース１に給水手段６を装着すると、側面部１９は、縦長平板形状で、本体ケース１における一方側側面、つまり右側面の一部となる。背面部２０は、縦長平板形状で、本体ケース１における一方側側面に隣接した側面、つまり背面の一部となる。
【００２７】
側面部１９には、本体ケース１における内方へ背面部２０と平行に伸びた縦長四角平板形状の第１の枠部２１を設けている。この第１の枠部２１は、本体ケース１に給水手段６を装着すると、側面部１９より本体ケース１における内方に位置するので、本体ケース１外側には、露出しない構成である。
【００２８】
複数のねじ固定部１３は、背面部２０と第１の枠部２１とに備えている。複数のねじ固定部１３は、背面部２０の内方面、または第１の枠部２１の内方面から垂直方向へ伸びたコの字形状の連結部２２と、この連結部２２の先端に位置する円柱形状のねじ穴を有するねじ穴部１４と、このねじ穴部１４のねじ穴の開口周縁に設けた円筒形状の筒部１５とから形成している。
【００２９】
このように、第１の枠部２１の内方面、つまり背面部２０に対向した面に設けたねじ固定部１３は、ねじ穴部１４のねじ穴の軸方向が側面部１９に対して垂直方向へ伸びている。すなわち、ねじ穴部１４のねじ穴の軸方向と、第１の枠部２１の面とは、平行に位置するものである。
【００３０】
同様に、側面部１９に対して垂直方向へ伸び、背面部２０の内方面、つまり第１の枠部２１に対向した面に設けたねじ固定部１３は、ねじ穴部１４のねじ穴の軸方向が側面部１９に対して垂直方向へ伸びている。すなわち、ねじ穴部１４のねじ穴の軸方向と、背面部２０の面とは、平行に位置するものである。
【００３１】
すなわち、側面部１９と第１の枠部２１、および側面部１９と背面部２０は、水平断面形状が、Ｌ字形状となり、剛性が向上するので、水タンク部１０にそり等の変形が発生した場合にも、側面部１９面の変形を抑制できる。
【００３２】
更に、ねじ固定部１３のねじ穴部１４ねじ穴の軸方向は、第１の枠部２１および背面部２０の面とは、平行に位置するものである。ここで、水タンク部１０は、略縦長箱形状であるため、上下方向のそりが発生し易いが、水タンク部１０における上下方向のそりが発生した場合に、第１の枠部２１および背面部２０には、それぞれの面方向に力が働くので、第１の枠部２１および背面部２０での変形を抑制できる。
【００３３】
また、側面部１９には、本体ケース１における内方へ伸びると共に、第１の枠部２１と背面部２０と連結する第２の枠部２３を備えたものである。すなわち、この第２の枠部２３と、第１の枠部２１と、背面部２０とからなるコの字形状を形成し、これらりより、更に、外面部１１の剛性が向上するので、水タンク部１０にそり等の変形が発生した場合にも、外面部１１の変形を抑制できる。
【産業上の利用可能性】
【００３４】
以上のように本発明は、吸気口と排気口を有する本体ケースと、この本体ケース内に設けられた加湿手段と、前記吸気口から前記加湿手段を介し、前記排気口へ空気を送風する送風手段と、前記本体ケースに着脱自在な給水手段とを備え、この給水手段は、前記加湿手段に水を供給する中空形状の水タンク部と、前記本体ケースの一部となる外面部とから構成し、この外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きいことを特徴としたものであり、デザイン性の更なる向上ができるものである。
【００３５】
すなわち、外面部には、ねじが固定可能な複数のねじ固定部を備え、このねじ固定部は、円柱形状のねじ穴を有するねじ穴部と、このねじ穴部の開口周縁に設けた円筒形状の筒部とから形成し、前記水タンク部には、平板形状の複数のフランジ部を備え、このフランジ部には、前記ねじ固定部の前記筒部が貫通する孔部を設け、この孔部に前記外面部の前記ねじ固定部の前記筒部を通し、前記ねじ穴部にねじを固定する構成とし、前記ねじのねじ頭は、前記水タンク部の前記孔部より大きく、前記水タンク部の前記フランジ部は、前記ねじ穴部と前記ねじのねじ頭との間に位置すると共に、前記ねじ穴部と前記ねじのねじ頭との間の寸法は、前記フランジ部の厚み寸法より大きい構成となっている。
【００３６】
つまり、外面部のねじ固定部と、水タンク部のフランジ部との間に、隙間を備えている為、水タンク部にそり等の変形が発生した場合にも、外面部の変形を抑制でき、これらの結果により、デザイン性の更なる向上ができるものである。
【００３７】
従って、家庭用や事務所用などの、加湿装置として活用が期待されるものである。
【符号の説明】
【００３８】
１  本体ケース
２  吸気口
３  排気口
４  加湿手段
５  送風手段
６  給水手段
７  水槽
８  加湿フィルター部
９  加湿フィルター枠部
１０  水タンク部
１１  外面部
１２  ねじ
１３  ねじ固定部
１４  ねじ穴部
１５  筒部
１６  フランジ部
１７  孔部
１８  ねじ頭
１９  側面部
２０  背面部
２１  第１の枠部
２２  連結部
２３  第２の枠部
２４  回転手段
【図１】
0005934901.tif 000002
【図２】
0005934901.tif 000003
【図３】
0005934901.tif 000004
【図４】
0005934901.tif 000005
【図５】
0005934901.tif 000006